(57)【要約】【課題】制御板の周囲だけでなく、前部や後部を覆うことができ、電子部品の劣化による損傷が原因で過熱したときの安全を維持することを可能にしたアイロンを提供すること。【解決手段】制御板５を覆うように握り部３ａ内部に筒状に形成した難燃性のフィルムの前部および後部の少なくとも一方に折り返し部４ａ（４ｂ）を設け、その折り返し部４ａ（４ｂ）を筒状に形成した部分の内側に折り返したことにより、万一、制御板５に実装した電子部品が劣化して過熱しても、難燃性のフィルム４で保護することができ、安全なアイロンを実現することができる。【選択図】図１
2008049007.tif 000002
【特許請求の範囲】
【請求項１】
ヒータによって加熱されるベースと、前記ヒータへの通電を制御する電子部品を実装した制御板と、前記ベースの上方に配設し、かつ、前記制御板を収容する握り部を上部に備えた把手と、前記制御板を覆うように前記握り部内部に筒状に形成した難燃性のフィルムとを具備し、前記フィルムは前記筒状に形成した部分の前部および後部の少なくとも一方に折り返し部を設け、その折り返し部を前記筒状に形成した部分の内側に折り返したアイロン。
【請求項２】
折り返し部は、フィルムを展開したとき、その幅方向の略中央に配置させた請求項１記載のアイロン。
【請求項３】
フィルムは、筒状に形成した部分と折り返し部との接続部を握り部内で下方に位置するよう配置させた請求項１記載のアイロン。
【発明の詳細な説明】
【技術分野】
【０００１】
本発明は、衣類等のしわ伸ばしに用いられるアイロンに関するものである。
【背景技術】
【０００２】
従来、この種のアイロンでは制御板に対し前後方向を覆うことが容易ではないため、制御板に実装した電子部品が損傷等の原因で過熱したときの安全を維持することが不十分であった（例えば、特許文献１参照）。
【０００３】
図４、５及び６は従来のアイロンを示すもので、以下その構成について説明する。ヒータ（図示せず）により加熱されるベース１０１と、ベース１０１の上方に配設した把手１０２と、把手１０２の上部に形成した握り部１０２ａと、握り部１０２ａの内壁面に、難燃性のフィルム１０３を支持する支持部１０２ｂを設け、握り部１０２ａの内面をフィルム１０３で覆うようにしている。制御板１０４はタイマー部１０５、ヒータ制御部（図示せず）、サージ電圧吸収部（図示せず）などを搭載し、フィルム１０３の内側に収納されている。
【０００４】
フィルム１０３は制御板に搭載したタイマー部１０５、ヒータ制御部、サージ電圧吸収部などが異常過熱したとき、握り部１０２ａの変形などを防止するもので、難燃性（自己消火性）を有する合成樹脂フィルムである。
【特許文献１】特開平１０−２７７２９５号公報
【発明の開示】
【発明が解決しようとする課題】
【０００５】
しかしながら、このような従来のアイロンでは、フィルム１０３を単純な長方形のシートで構成していることから、制御板１０４の前部及び後部を同時に覆うことが困難であり、また、別部品を追加する場合には、コストアップ、作業性の悪化等の問題があった。
【０００６】
本発明は、上記従来の課題を解決するもので、フィルムの一部に折り返し部をつけることで、構成部品を増やすことなく、かつ、作業性を損なわずに制御板過熱時の安全を維持することのできるアイロンを提供することを目的としている。
【課題を解決するための手段】
【０００７】
前記従来の課題を解決するために、本発明のアイロンは、フィルムの一部に折り返し部を設け、筒状に形成した内側に折り返すことによりアイロン本体への取り付け作業性に変更なく、また、部品点数を増やすことなく制御板の前部、または、後部を覆うものである。
【０００８】
これによって、制御板の周囲だけでなく、前部や後部を覆うこができ、電子部品の劣化による損傷が原因で過熱したときの安全を維持することを可能にしたアイロンを実現させるものである。
【発明の効果】
【０００９】
本発明のアイロンは、制御板の周囲だけでなく、前部や後部を覆うことができ、電子部品の劣化による損傷が原因で過熱したときの安全を維持することを可能にしたアイロンを実現させるものである。
【発明を実施するための最良の形態】
【００１０】
第１の発明は、ヒータによって加熱されるベースと、前記ヒータへの通電を制御する電子部品を実装した制御板と、前記ベースの上方に配設し、かつ、前記制御板を収容する握り部を上部に備えた把手と、前記制御板を覆うように前記握り部内部に筒状に形成した難燃性のフィルムとを具備し、前記フィルムは前記筒状に形成した部分の前部および後部の少なくとも一方に折り返し部を設け、その折り返し部を前記筒状に形成した部分の内側に折り返したことにより、制御板の周囲だけでなく、前部や後部を覆うこができ、電子部品の劣化による損傷が原因で過熱したときの安全を維持することを可能にしたアイロンを実現させることができる。
【００１１】
第２の発明は、上記第１の発明において、折り返し部は、フィルムを展開したとき、その幅方向の略中央に配置させたことにより、制御板の周囲だけでなく、前部や後部を覆うこができ、電子部品の劣化による損傷が原因で過熱したときの安全を維持することを可能にすると同時に、折り返し部を筒状に形成した内側に折り返す作業性を向上させたアイロンを実現させることができる。
【００１２】
第３の発明は、上記第１の発明において、フィルムは、筒状に形成した部分と折り返し部との接続部を握り部内で下方に位置するよう配置させたことにより、制御板の周囲だけでなく、前部や後部を覆うこができ、電子部品の劣化による損傷が原因で過熱したときの安全を維持することを可能にすると同時に、折り返し部を筒状に形成した内側に折り返す作業性を向上させたアイロンを実現させることができる。
【００１３】
以下、本発明の実施の形態について、図面を参照しながら説明する。また、この実施の形態によって本発明が限定されるものではない。
【００１４】
（実施の形態１）
図１は、本発明の第１の実施の形態におけるアイロンの要部断面図、図２は握り部の図１におけるＡ−Ａ断面図、図３はフィルムの展開図である。図１、２及び３において、ヒータ１により加熱されるベース２の上方に把手３が配設されている。把手３の上部に形成した握り部３ａは後方に開口を有し、その内壁面に、制御板５を支持する支持部３ｂを設け、握り部３ａの内面を難燃性のフィルム４で覆うようにしている。制御板５はタイマー部６、ヒータ制御部７、サージ電圧吸収部８などを搭載し、フィルム４の内側に収納されている。
【００１５】
把手３の後部に取着し、かつ、電源コード９を出没自在に収納するコードリール装置１０はロックレバー１１を把手３側のリールケース１２に配設しており、電源コード９を巻き取るリール１３のストッパー部１３ａに位置するようにロックレバーバネ１４によって常に一方向に付勢されている。ロックレバー１１を押し下げる押圧部１５ａを一体に形成した巻取りボタン１５をリールケース１２上部に配設し、巻取りボタンバネ１６によってロックレバー１１から離れる方向に付勢している。
【００１６】
フィルム４の有する難燃性（自己消火性）は、所定の厚さで、幅１．２５ｃｍ、長さ１２．５ｃｍの試験片を垂直に支持し、試験片の下端より口径９．４ｍｍのブンゼンバーナーによる青色炎を１０秒間接炎し、炎を取り去った後に１０秒以内に消炎する性能を有するものである。
【００１７】
ここで、フィルム４に設けた前部の折り返し部４ａおよび後部の折り返し部４ｂの長さＬは握り部３ａの内面の高さＨよりも高くしてある。
【００１８】
以上のように構成されたアイロンの作用、動作について、以下に説明する。
【００１９】
握り部３ａ内にフィルム４を配設するには、フィルム４を円筒状に握り部３ａの内面の高さＨよりも小さく丸め、前部の折り返し部４ａを円筒状の内側に折り込んだ状態で、後方に設けた開口から握り部３ａ内に入れると、フィルム４の復元力によりフィルム４は握り部３ａの内面を覆うように広がり固定される。このとき、前部折り返し部４ａの長さＬは、握り部３ａ内面の高さＨよりも長くしてあるので、円筒状の内側に折り込んだ状態が維持され、円筒部より外れることはない。
【００２０】
その後、フィルム４に内面を覆われた握り部３ａ内に制御板５を収納し、制御板５の前端部を支持部３ｂで上下から挟み込んで保持し、最後に後部の折り返し部４ｂを前部同様に円筒内に折り込んだ後、把手３後部にコードリール装置１０を、その上部で握り部３ａの後方開口を覆うように取り付ける。このようにすることにより、制御板５の後方への脱落を防止するとともに、フィルム４の前部の折り返し部４ａおよび後部の折り返し部４ｂの円筒部内側に折り込んだ状態を維持し、制御板５の前後方向の安全性を確保することができる。
【００２１】
なお、後部の折り返し部４ｂの長さＬも、前部折り返し部４ａと同様に握り部３ａ内面の高さＨよりも長くしてある。
【００２２】
また、アイロンかけ終了後、電源コード９を収納するときは、ロックレバーバネ１４に抗して押し下げられた巻取りボタン１５の押圧部１５ａによりロックレバー１１が下がりストッパー部１３ａから外れる。このとき、フィルム４の後部の折り返し部４ｂにより、制御板５は握り部３ａ内部で移動することなく確実に固定されており、ロックレバー１１の動作を妨げることはない。そしてリール１３は規制を解かれて回動し、電源コード９を巻取りながら収容することができる。
【００２３】
これにより、コードリール装置１０の動作を妨げることなく、握り部３ａの内面を難燃性のフィルム４で覆った状態で制御板５を握り部３ａ内に収納することができるため、万一、制御板５に実装した電子部品が劣化して過熱しても、難燃性のフィルム４で保護することができ、安全なアイロンを実現することができる。
【産業上の利用可能性】
【００２４】
以上のように、本発明にかかるアイロンは、制御板の過熱に対する保護を安価で簡単に実現することができるので、衣類等のしわ伸ばしを行うアイロンに限らず、各種制御板搭載装置等に有用である。
【図面の簡単な説明】
【００２５】
【図１】本発明の実施の形態１のアイロンの要部断面図
【図２】同アイロンの図１におけるＡ−Ａ断面図
【図３】同アイロンのフィルムの展開図
【図４】従来のアイロンの外観図
【図５】従来のアイロンの握り部の断面図
【図６】従来のアイロンの握り部の図５におけるＢ−Ｂ断面図
【符号の説明】
【００２６】
１  ヒータ
２  ベース
３  把手
４  フィルム
５  制御板
６  タイマー部
７  ヒータ制御部
８  サージ電圧吸収部
９  電源コード
１０  コードリール装置
１１  ロックレバー
１２  リールケース
１３  リール
１４  ロックレバーバネ
１５  巻取りボタン
１６  巻取りボタンバネ
【図１】
2008049007.tif 000003
【図２】
2008049007.tif 000004
【図３】
2008049007.tif 000005
【図４】
2008049007.tif 000006
【図５】
2008049007.tif 000007
【図６】
2008049007.tif 000008